(57)【要約】【課題】  装具の使用性を向上することのできる装具用ストラップを提供する。【解決手段】ストラップ２１は、基端部の一側面を第１装着部１２の壁部１６に当接させてなるストラップ本体２２と、該ストラップ本体２２の他側面の全面に接合されてなるカバー部材２３と、ストラップ本体２２とカバー部材２３との間に挟着されてなるガイド部材２４とより構成されている。ガイド部材２４は、熱可塑性ポリエステルエラストマーからなる弾性体より形成されている。このガイド部材２４はストラップ２１の基端部に円弧状に配設されていることから、同ストラップ２１は、第１装着部１２の当接面１７上から退避するように付勢されている。【選択図】      図２
2006158715.tif 000002
【特許請求の範囲】
【請求項１】
人体の所定部位に当接される装具を、当該人体に固定する装具用ストラップであって、
前記装具の当接面上に架設されて同装具を前記人体の所定部位に固定した固定位置と、前記装具の当接面上から退避されて同装具を人体の所定部位に装着する装着位置との２つの位置の間を変動するストラップ本体と、前記ストラップ本体を前記装着位置に保持するガイド部材とを有してなることを特徴とする装具用ストラップ。
【請求項２】
前記ガイド部材は、前記ストラップ本体を前記当接面上から退避させるように付勢する弾性体より形成されていることを特徴とする請求項１に記載の装具用ストラップ。
【請求項３】
前記ガイド部材は、前記ストラップ本体に対し、同ストラップ本体の前記人体側となる一面上に接合されてなることを特徴とする請求項２に記載の装具用ストラップ。
【請求項４】
前記ガイド部材と前記人体の表面との間には保護部材が設けられてなることを特徴とする請求項３に記載の装具用ストラップ。
【発明の詳細な説明】
【技術分野】
【０００１】
本発明は、例えば、リハビリに使用される装具、或いは肘、膝等を保護するプロテクター等の装具を人体の所定部位に固定するための装具用ストラップに関するものである。
【背景技術】
【０００２】
従来より、例えば特許文献１に示すように、リハビリに使用される装具には、同装具を人体に固定すべくストラップが設けられている。当該ストラップは、一対のバンドからなり、各バンドはそれぞれの一端が装具に固定されている。また、各バンドにはそれぞれ面ファスナーが設けられている。そして、人体の所定部位に装具を当接させた状態で、各バンドと装具とで人体を緊結するようにそれぞれのバンドを接合し、複数のストラップで人体を締め付けることにより、装具が人体の所定部位に固定されるようになっている。
【特許文献１】特開２００４−１６６８１１号公報
【発明の開示】
【発明が解決しようとする課題】
【０００３】
ところが、上記従来のストラップは、長年の使用の結果、装具を固定した形状でくせがついて変形したり、自重等によって撓んだ形状となったりしやすい。このため、装具を取り外した後も、ストラップが装具を覆う、或いは装具を塞ぐように、その内部で横たわったままとなりやすい。すると、装具を装着するとき、当該ストラップが装着を邪魔することとなる。そうした場合、使用者は、装具を装着する都度、まず、ストラップを装具の内部から引き起こし、装具の内部を開放するという煩雑な操作を行う必要があった。従って、上記従来のストラップを備える装具は、使い勝手（使用性）の点においてなお改善の余地を残すものとなっていた。
【０００４】
この発明は、こうした従来の実情に鑑みてなされたものであり、その目的は、装具の使用性を向上することのできる装具用ストラップを提供することにある。
【課題を解決するための手段】
【０００５】
上記の目的を達成するために、請求項１に記載の発明の装具用ストラップは、人体の所定部位に当接される装具を、当該人体に固定する装具用ストラップであって、前記装具の当接面上に架設されて同装具を前記人体の所定部位に固定した固定位置と、前記装具の当接面上から退避されて同装具を人体の所定部位に装着する装着位置との２つの位置の間を変動するストラップ本体と、前記ストラップ本体を前記装着位置に保持するガイド部材とを有してなることを要旨とする。
【０００６】
このように構成した場合、ストラップ本体は、ガイド部材により、装具の当接面上から退避するように案内されて装着位置に保持されているため、人体から装具を外した場合でも、同ストラップ本体が装具の当接面上に横たわって同装具の装着の邪魔となることが抑制される。従って、本構成によれば、人体の所定部位に装具を装着する際には、ストラップ本体が装具の当接面上に横たわって邪魔となることがなく、装着の都度ストラップ本体を引き上げる等の煩雑な操作が省略される。このため、装具の使用性の向上が図られる。
【０００７】
請求項２に記載の発明の装具用ストラップは、請求項１に記載の発明において、前記ガイド部材は、前記ストラップ本体を前記当接面上から退避させるように付勢する弾性体より形成されていることを要旨とする。
【０００８】
このように構成した場合、固定を解除した状態にあるストラップ本体は、ガイド部材の弾性力により、装具の当接面上から速やかに退避する。このため、装具の当接面が速やかに開放される。
【０００９】
請求項３に記載の発明の装具用ストラップは、請求項２に記載の発明において、前記ガイド部材は、前記ストラップ本体に対し、同ストラップ本体の前記人体側となる一面上に接合されてなることを要旨とする。
【００１０】
このように構成した場合、ガイド部材は人体側に配設されるため、固定を解除した状態にあるストラップ本体を装具の当接面上から跳ね上げるように退避させることができるようになる。また、ガイド部材はストラップ本体に接合されることから、固定を解除した状態にあるストラップ本体に対して付勢力が伝達されやすくなる。
【００１１】
請求項４に記載の発明の装具用ストラップは、請求項３に記載の発明において、前記ガイド部材と前記人体の表面との間には保護部材が設けられてなることを要旨とする。
このように構成した場合、ガイド部材と人体との間に保護部材が配置されることから、ガイド部材が人体に直接接触することがなく、良好な肌触りを有する保護部材が人体の表面に密接される。
【発明の効果】
【００１２】
本発明の装具用ストラップによれば、装具の使用性を向上することができる。
【発明を実施するための最良の形態】
【００１３】
（第１の実施形態）
以下、本発明の装具を、使用者の脚部に装着されるリハビリ用装具（短下肢装具、長下肢装具等）とした第１の実施形態を図面に基づいて詳細に説明する。図１に示すように、本実施形態のリハビリ用装具１１は、使用者の足底に装着される第１装着部１２と、該第１装着部１２の後端に固定されて上下方向に延設されてなる支持部１３と、該支持部１３の上端に固定されてなる第２装着部１４とより構成されている。
【００１４】
図２に示すように、第１装着部１２は、使用者の足底に配設される載置部１５と、該載置部１５の側縁から上方に立設されてなる壁部１６とを備えている。載置部１５は、足底に当接される当接面１７を有している。図１に示すように、第２装着部１４は、使用者の脹脛の表面形状に沿った半円弧状に形成されている。第２装着部１４は、その内面に、脹脛の表面に当接される当接面１８を有している。
【００１５】
第１装着部１２の壁部１６には、二対の装具用ストラップ（以下、ストラップと称す）の一端部（基端部）がリベット１９により固定されている。ストラップは、細長く延びる帯状に形成されており、リベット１９を軸としてそれぞれ上下方向に回動可能に構成されている。ここで、図２に示すように、相対向する壁部１６のうち、一側（同図右側）の壁部１６に設けられたストラップを第１ストラップ２１、他側（同図左側）の壁部１６に設けられたストラップを第２ストラップ３１とする。
【００１６】
また、図１に示すように、第２装着部１４の一側縁部（図１では左側縁部）には、第１ストラップ２１の一端部（基端部）がリベット（図示略）により固定されている。この第２装着部１４の第１ストラップ２１は、前記第１装着部１２の同部材に比べて、幅が大きく設定されている以外は同様の構成を有している。一方、第２装着部１４の他側縁部（図１では右側縁部）には、第２ストラップ３１の一端部（基端部）がリベット（図示略）により固定されている。この第２装着部１４の第２ストラップ３１は、前記第１装着部１２の同部材に比べて、幅が大きく設定されている以外は同様の構成を有している。
【００１７】
まず、第１ストラップ２１について説明する。図２及び図３に示すように、第１ストラップ２１は、基端部の一側面を壁部１６に当接させてなるストラップ本体２２と、該ストラップ本体２２の他側面の全面に接合されてなるカバー部材２３と、ストラップ本体２２とカバー部材２３との間に挟着されてなるガイド部材２４とより構成されている。
【００１８】
ストラップ本体２２は、ナイロン繊維、ポリエステル繊維、アクリル繊維及びポリプロピレン繊維のうちのいずれか、又はこれらの混紡糸の他、スフ糸、織物等により構成されている。ストラップ本体２２の一側面（表面）において、その周縁部を除く部分には雄面ファスナー２５が設けられている。
【００１９】
カバー部材２３は合成皮革より形成されている。このカバー部材２３には、抗菌作用を付与すべく抗菌剤が練り込まれている。この抗菌剤としては、銀、銅、亜鉛、二酸化チタン等の無機系抗菌剤が挙げられる。さらに、同カバー部材２３の表面には、防汚作用を付与すべくフッ素処理が施されている。このフッ素処理は、フッ素ガスと酸素ガスとを含有する混合ガスをカバー部材２３の表面に接触させる処理である。また、カバー部材２３には、耐アルコール性を付与すべく、ポリウレタンを主成分とするコーティング剤組成物が含浸されている。
【００２０】
なお、前記カバー部材２３の表面とは、ストラップ本体２２との接合面の反対側に位置する面を意味する。同カバー部材２３は、前記ストラップ本体２２と同一形状を有し、両者の周縁が一致するようにストラップ本体２２に重ね合わされている。
【００２１】
ガイド部材２４は、第１ストラップ２１の基端部（第１ストラップ２１の長さ方向中央部より基端側）に配設されている。このガイド部材２４は、熱可塑性ポリエステルエラストマー（登録商標ハイトレル、デュポン社製）からなる弾性体より形成されている。このガイド部材２４の厚みは凡そ１ｍｍである。同ガイド部材２４は、良好な形状保持性及び復元性を確保すべく、そのショアＣ硬度が１０〜５０の範囲に設定されているのが好ましい。なお、ガイド部材２４は、人間の力により容易に屈曲して所望の形状保持性及び復元性を確保することができれば、上記の範囲を外れる硬度であってもよく、厚みも特に限定されるものではない。
【００２２】
図４に示すように、ガイド部材２４は、射出成形により断面円弧状をなすように湾曲形成されている。ガイド部材２４は、ストラップ本体２２を当接面１７（１８）上から退避させるよう付勢すべく上に凸とされた状態で、その上方にストラップ本体２２が、下方にカバー部材２３が位置するように重ね合わせた後、これらの周縁より内側（雄面ファスナー２５の外周）を縫合することにより上記第１ストラップ２１が構成される。これにより、同ガイド部材２４は、第１ストラップ２１を前記当接面１７（１８）上から退避させるよう付勢すべく配設されている。
【００２３】
次に、第２ストラップ３１について説明する。この第２ストラップ３１は、上記第１ストラップ２１とほぼ同様の構成（ほぼ左右対称の構成）及び同等の長さを有している。ここでは、第１ストラップ２１と相違する点について記載する。
【００２４】
図２に示すように、第２ストラップ３１は、基端部の一側面を壁部１６に当接させてなる保護部材３２と、該保護部材３２の他側面の全面に接合されてなるストラップ本体２２と、保護部材３２とストラップ本体２２との間に挟着されてなるガイド部材２４とより構成されている。ガイド部材２４は、ストラップ本体２２の人体側となる一面（他側面）上に縫合されて同ストラップ本体２２と一体で構成されている。
【００２５】
保護部材３２は、上記と同様の合成皮革よりなるカバー部材２３と、該カバー部材２３の表面に接合された接触部３３とより構成されている。この接触部３３は、ポリウレタン繊維及び綿から構成される丸編の生地、すなわちメリヤス生地より形成されている。なお、当該接触部３３は、人体に対して好適な肌触りが得られれば、いずれの材質より形成されてもよい。
【００２６】
また、第２ストラップ３１のストラップ本体２２の一側面（表面）において、その周縁部を除く部分には雌面ファスナー３４が設けられている。この第２ストラップ３１は、ガイド部材２４により、装着部１２（１４）の当接面１７（１８）上から退避するように前記第１ストラップ２１とは逆方向へ付勢されている。
【００２７】
そして、第１ストラップ２１及び第２ストラップ３１それぞれのストラップ本体２２の雄面ファスナー２５と雌面ファスナー３４とが貼着された状態で、第１装着部１２が両ストラップ２１，３１によって足底に固定されるようになっている。このときの両ストラップ２１，３１の位置を固定位置とする。また、雄面ファスナー２５と雌面ファスナー３４とが分離して前記当接面１７（１８）上から退避され、同リハビリ用装具１１を人体の所定部位に装着し得るときの両ストラップ２１，３１の位置を装着位置とする。これら第１ストラップ２１及び第２ストラップ３１は、それぞれガイド部材２４によって装着位置に保持されるようになっている。
【００２８】
以下に、本実施形態のリハビリ用装具１１の作用について説明する。
同リハビリ用装具１１を脚部に固定する場合には、まず足底を第１装着部１２の載置部１５（当接面１７）上に載置するとともに、脹脛表面に第２装着部１４の当接面１８を当接させる。このとき、ガイド部材２４はストラップ２１，３１の基端部に円弧状に配設されていることから、第１装着部１２の第１ストラップ２１及び第２ストラップ３１は、ともに第１装着部１２の当接面１７上から退避するように付勢されている。その結果、両ストラップ２１，３１は、それぞれ当接面１７から遠ざかる方向に倒れており、第１装着部１２の開口が開放されている。すなわち、足底を第１装着部１２の載置部１５（当接面１７）上に載置する際に両ストラップ２１，３１が邪魔となることがなく、使用者の足底が第１装着部１２に速やかに導入される。
【００２９】
また、第２装着部１４の第１ストラップ２１及び第２ストラップ３１に関しても、ガイド部材２４により、ともに当接面１８上から退避するように付勢されているため、当接面１８から遠ざかる方向に倒れており、第２装着部１４の開口が開放されている。すなわち、脹脛表面に第２装着部１４を当接する際に両ストラップ２１，３１が邪魔となることがなく、第２装着部１４の位置合わせが速やかに行われる。
【００３０】
上述のように足底を第１装着部１２に導入するとともに、第２装着部１４を脹脛表面に位置合わせした後、まず、図５に示すように、足の甲に第１装着部１２の両ストラップを締め付ける。すなわち、第１ストラップ２１及び第２ストラップ３１の先端部を手指で把持して両者を互いに引っ張り、同第２ストラップ３１の保護部材３２を足の甲に密接させた状態で、両ストラップの雄面ファスナー２５と雌面ファスナー３４とを貼着する。その結果、両ストラップにより足の甲が締め付けられ、足底に第１装着部１２が固定される。
【００３１】
次いで、これと同様に、第２装着部１４の両ストラップ２１，３１を互いに引っ張り、第２ストラップ３１の保護部材３２を足の脛（すね）に密接させた状態で、両ストラップ２１，３１の雄面ファスナー２５と雌面ファスナー３４とをそれぞれ貼着する。その結果、両ストラップ２１，３１により足の脛が締め付けられ、脹脛表面に第２装着部１４が固定される。
【００３２】
さて、リハビリ用装具１１を脚部から取り外す際には、まずストラップ２１，３１の面ファスナー２５，３４同士の貼着をそれぞれ解除する。すると、ストラップ２１，３１による脚部（足の甲及び脛）の締め付けが解除され、脚部からリハビリ用装具１１が取り外されるようになる。この状態において、各ストラップ２１，３１は、ガイド部材２４の付勢力により、第１装着部１２及び第２装着部１４それぞれの当接面１７，１８上から退避するように跳ね上がる。その結果、両装着部１２，１４の開口が開放される。よって、リハビリ用装具１１を再度装着しようとする際にも、ストラップ２１，３１が当該装着の邪魔になることがなく、同リハビリ用装具１１が人体に容易に装着される。
【００３３】
ここで、装着部１２，１４の当接面１７，１８上にそれぞれストラップ２１（３１）が横たわった状態で、使用者がリハビリ用装具１１を所定部位に装着しようとする場合には、その装着前にストラップ２１（３１）を起こして当接面１７，１８を開放する操作が必要である。この操作は、片手が不自由な片麻痺者等にとっては、相当の時間を要し、極めて煩雑なものであった。これに対し、本実施形態のリハビリ用装具１１によれば、上記のような煩雑な操作を必要とせず、手放しの状態で人体の所定部位に装着することができ、使用性の向上が図られる。なお、両手の自由が利く健常者にとっても、上記と同等の効果が発揮されることが理解されるべきである。
【００３４】
前記の実施形態によって発揮される効果について、以下に記載する。
・  各ストラップ２１，３１は、ガイド部材２４により、それぞれ装着部１２，１４の当接面１７，１８上から退避するように付勢されている。このため、本実施形態では、装着部１２，１４の当接面１７，１８上にそれぞれストラップ２１（３１）が横たわり、同ストラップ２１（３１）がリハビリ用装具１１の装着時の邪魔となることがない。
【００３５】
・  ガイド部材２４はストラップ本体２２と一体で接合されている。このため、ガイド部材２４の付勢力がストラップ本体２２に伝達されやすくなる。従って、解除状態にあるストラップ２１（３１）を装着部１２，１４の当接面１７，１８上から容易に退避させることができる。
【００３６】
・  ガイド部材２４をストラップ本体２２に接合して両者を一体で構成することにより、ガイド部材２４の弾性力を介してストラップ２１，３１の引張強度の向上が図られている。このため、ストラップ２１，３１を人体に締め付けるべく同ストラップ２１，３１を所定方向に強く引っ張る場合でも、ストラップ２１，３１の劣化を好適に抑制することができる。またこのように、ストラップ２１，３１を所定方向に強く引っ張る際には、リベット１９に起因する反力によりストラップ２１，３１の基端部に剪断応力が生じてしまう。しかしながら、本実施形態ではこうした剪断応力は、ガイド部材２４が伸張することで弱められるため、ストラップ２１，３１の基端部の劣化が抑制される。従って、本実施形態のリハビリ用装具１１によれば、ストラップ２１，３１の耐久性の向上を図ることができる。
【００３７】
・  人体の所定部位にリハビリ用装具１１が固定された際には、人体の表面（足の甲及び脛）に保護部材３２が密接される。この保護部材３２には、抗菌作用及び防汚作用が付与されているため、リハビリ用装具１１を長時間使用する際にも、汗や湿気等によってカビ等が発生することがなく、汚れも生じにくい。すなわち、人体に密接する部位を長期に亘って清潔及び衛生的に保つことができる。また、この保護部材３２において、人体の表面との接触部位（接触部３３）は、当該人体に対する触感（肌触り）が良好な素材から形成されている。このため、使用者は、リハビリ用装具１１を長時間使用する場合でも特に違和感が生じることがなく、快適な使用が可能となる。
【００３８】
・  外部に露出する第１ストラップ２１のカバー部材２３も、抗菌作用及び防汚作用を有する合成皮革より形成されているため、リハビリ用装具１１を長時間使用する場合でも汚れが生じにくい。その結果、外部に露出する部位（カバー部材２３）を清潔な状態で維持することができる。また、同カバー部材２３は、耐溶媒性（耐アルコール性）にも優れている。このため、例えば、治療に使用される薬品等がカバー部材２３に付着した場合でも、同カバー部材２３の劣化が抑制される。従って、ストラップ２１の耐久性を向上することができる。
【００３９】
・  ガイド部材２４はリベット１９の近傍（ストラップの基端部）に配設されている。すなわち、ストラップ２１（３１）が変動する際の重心付近にガイド部材２４が配設される。このため、固定を解除した状態にあるストラップ２１（３１）を、装着部１２，１４の当接面１７，１８上から一層容易且つスムーズに変動させることができる。
（第２の実施形態）
以下、本発明の装具をリハビリ用装具１１とした第２の実施形態を図面に基づいて詳細に説明する。第２の実施形態は、足の甲の締め付けに係る構成の点でのみ上記第１の実施形態と相違するので、その相違点を中心にして説明する。
【００４０】
図６に示すように、本実施形態の第３ストラップ４１は、第１の実施形態の第１ストラップ２１に比べて長さが大きく構成されている。この第３ストラップ４１は、基端部一側面を壁部１６に当接させてなるカバー部材２３と、該カバー部材２３の他側面の全面に接合されてなるストラップ本体２２と、カバー部材２３とストラップ本体２２との間に挟着されてなるガイド部材２４とより構成されている。
【００４１】
ストラップ本体２２の長さ方向中央部より基端側に位置する表面には雌面ファスナー３４が設けられている。一方、同ストラップ本体２２の長さ方向中央部より先端側に位置する表面には雄面ファスナー２５が設けられている。第３ストラップ４１は、ガイド部材２４により、第１装着部１２の当接面１７上から退避するように付勢されている。
【００４２】
また、本実施形態では、上記第１の実施形態における第２ストラップ３１に代えて、締め付け具４３が設けられている。この締め付け具４３は、第１装着部１２の壁部１６にリベット１９により固定されてなるタブ４４と、該タブ４４の先端部に取着されてなるリング４５とより構成されている。
【００４３】
第１装着部１２を足底に固定する場合には、まず足底を第１装着部１２の載置部１５（当接面１７）上に載置する。このとき、第３ストラップ４１は、ガイド部材２４によって第１装着部１２の当接面１７上から退避するように付勢されているため、当接面１７から遠ざかる方向に倒れており、第１装着部１２の開口が開放されている。すなわち、足底を第１装着部１２の載置部１５（当接面１７）上に載置する際に第３ストラップ４１が邪魔となることがなく、使用者の足底が第１装着部１２に速やかに導入される。
【００４４】
そして、図７に示すように、第１装着部１２の載置部１５（当接面１７）上に足底を載置した状態で、第３ストラップ４１の先端部を締め付け具４３のリング４５に挿通し、次いで同第３ストラップ４１を引っ張り、その中央部（雄面ファスナー２５と雌面ファスナー３４との境界付近）で先端部を折り返す。続いて、同第３ストラップ４１の先端部を基端部側へと引っ張り、足の甲に対向するカバー部材２３を当該足の甲に密接させた状態で、雄面ファスナー２５と雌面ファスナー３４とを貼着する。すると、第３ストラップ４１により足の甲が締め付けられ、足底に第１装着部１２が固定される。
【００４５】
足底から第１装着部１２を取り外す際には、まず、第３ストラップ４１の雄面ファスナー２５と雌面ファスナー３４とを分離し、同第３ストラップ４１の先端部をリング４５から引き抜く。すると、第３ストラップ４１による足の甲の締め付けが解除される。この状態で、第３ストラップ４１は、ガイド部材２４の付勢力により、第１装着部１２の当接面１７上から退避するように跳ね上がる。その結果、第１装着部１２の開口が開放される。よって、リハビリ用装具１１を再度装着しようとする際にも、第３ストラップ４１が当該装着の邪魔になることがなく、同リハビリ用装具１１が人体に容易に装着される。
【００４６】
なお、両実施形態は、次のように変更して具体化することも可能である。
・  図８に示すように、第１の実施形態の第１ストラップ２１において、それぞれカバー部材２３を省略してもよい。
【００４７】
・  第１の実施形態の第２ストラップ３１及び第２の実施形態の第３ストラップ４１において、それぞれ保護部材３２を省略してもよい。
・  第１の実施形態の第２ストラップ３１において、接触部３３を省略してもよい。
【００４８】
・  第２の実施形態の第３ストラップ４１において、人体の表面との接触部位（カバー部材２３の中央部より基端側）に上記と同様の接触部３３を設けてもよい。この場合、第３ストラップ４１の基端側は、第１の実施形態の保護部材３２と同様の構成となる。
【００４９】
・  図９に示すように、両実施形態において、ストラップ本体２２の他側面の全面に亘ってガイド部材２４を設ける構成を採用してもよい。この場合、ストラップ本体２２に所定の付勢力を付与すべく、ガイド部材２４は基端部が弧状に湾曲形成される。同構成によれば、ストラップ本体２２に対してより一層強い付勢力が付与されるため、固定を解除した状態にあるストラップ２１，３１をそれぞれ装着部１２，１４の当接面１７，１８上からさらに容易に退避させることができる。
【００５０】
・  両実施形態では、カバー部材２３及び保護部材３２のそれぞれがストラップ本体２２の全面を覆う構成を採用したが、これを以下のように変更してもよい。すなわち、カバー部材２３及び保護部材３２のそれぞれがストラップ本体２２の一部のみを覆う構成としてもよい。この構成としては、例えば、ストラップ本体２２の先端部のみにカバー部材２３（保護部材３２）を設ける等が挙げられる。この場合、ストラップ２１，３１を人体に締め付ける際に把持される部位（先端部）の汚れが効果的に抑制される。
【００５１】
・  両実施形態において、ガイド部材２４をストラップ本体２２と各別に設ける構成を採用してもよい。
・  両実施形態のカバー部材２３及び保護部材３２は、抗菌性や防汚性等を特に要求しない場合に限っては、如何なる材料より形成されてもよい。すなわち、カバー部材２３及び保護部材３２を、例えば、ナイロン繊維、ポリエステル繊維、アクリル繊維及びポリプロピレン繊維のうちのいずれか、又はこれらの混紡糸の他、スフ糸、織物等により形成してもよい。
【００５２】
・  両実施形態のガイド部材２４は、人間の力により容易に屈曲して所望の形状保持性及び復元性を確保することができれば、いずれの樹脂より形成されてもよい。この樹脂としては、例えば、ポリアミド系エラストマー、ウレタン系エラストマー、オレフィン系エラストマーの他、天然ゴム、合成ゴム等が挙げられる。
【００５３】
・  両実施形態において、第２装着部１４に設けられた各ストラップ２１，３１を以下のように変更してもよい。すなわち、図１０に示すように、第２装着部１４に上記第２の実施形態と同様の第３ストラップ４１及び締め付け具４３を設けてもよい。当該ストラップ４１のストラップ本体２２の先端には、その表面から外方へ浮き上がるように形成された把持部５１が突設されている。そして、この把持部５１を手指で把持することにより、面ファスナー２５，３４同士の着脱が容易とされる。なお、この把持部５１を第１ストラップ２１及び第３ストラップ４１のストラップ本体２２にも設けてもよい。
【００５４】
・  両実施形態において、ストラップ本体２２と、各部材（ガイド部材２４、カバー部材２３、保護部材３２）とを、両面テープ、接着剤又は高周波ウエルダー加工により接合してもよい。すなわちこの場合、ストラップ本体２２と前記各部材との対向面にそれぞれ両面テープ、接着剤又は高周波ウエルダー加工が施され、ストラップ本体２２と前記各部材とを接合することによりストラップが構成される。
【００５５】
・  両実施形態において、各ストラップは、ストラップ本体２２、ガイド部材２４及びカバー部材２３（保護部材３２）を重ね合わせた状態でこれらを縫合することにより構成されたが、これを以下のように適宜変更してもよい。例えば、まずストラップ本体２２とカバー部材２３（保護部材３２）とを重ね合わせ、それらの周縁部のうち３辺を縫合して袋状に構成する。すなわち、残りの１辺は開口されており、その状態で当該開口からガイド部材２４を両部材間に挿入する。その後、残りの１辺を塞ぐように前記開口を縫合する。このとき、ガイド部材２４をストラップ本体２２に縫合してこれらを一体で形成するか否かは適宜変更されてもよい。
【００５６】
・  両実施形態において、射出成形後のガイド部材２４の形状は、ストラップ本体２２に対して所望の付勢力を付与することができればいずれの形状であってもよく、例えば平板状等であってもよい。
【００５７】
・  両実施形態において、ガイド部材２４は、射出成形の他、以下の方法により製造されるものであってもよい。すなわち、この種の製造方法としては、例えば、平板状に成形されたシートを成形型の中に入れ、その状態で当該シートを加熱して所定の形状に変形するもの等が挙げられる。
【００５８】
・  両実施形態において、各ストラップ本体２２の面ファスナー２５，３４を、雄面ファスナーと雌面ファスナーとを混合させたフリー面ファスナーに変更してもよい。
・  両実施形態において、ストラップ本体２２に設けられる面ファスナーとしては、両面面ファスナー、伸縮面ファスナー等の他、これらのうちいずれかと前記フリー面ファスナーとの組み合わせによるものを採用してもよい。
【００５９】
・  第１の実施形態において、第２ストラップ３１の長さを、第１ストラップ２１よりも短く設定してもよい。また、第４ストラップの長さを、第３ストラップ４１よりも短く設定してもよい。この場合、製造コストの低減を図ることができる。
【００６０】
・  第１の実施形態において、雄面ファスナー２５と雌面ファスナー３４との位置関係を変更してもよい。すなわちこの場合、第１ストラップ２１及び第３ストラップ４１に雌面ファスナー３４が、第２ストラップ３１及び第４ストラップに雄面ファスナー２５が設けられる。
【００６１】
・  第１の実施形態において、各ストラップ本体２２の面ファスナーを当該ストラップ本体２２の一部のみに設ける構成に変更してもよい。すなわちこの場合、ストラップ本体２２の基端部側の面ファスナーを省略し、その先端部側にのみ面ファスナーを設ける構成が好ましい。
【００６２】
・  第２の実施形態において、雄面ファスナー２５と雌面ファスナー３４との位置関係を変更してもよい。すなわちこの場合、ストラップ本体２２の基端部側に雄面ファスナー２５が、先端部側に雌面ファスナー３４が設けられる。
【００６３】
さらに、前記実施形態より把握できる技術的思想について以下に記載する。
・  前記ガイド部材は、前記ストラップ本体の基端部に接合されてなることを特徴とする請求項１〜請求項４のいずれか一項に記載の装具用ストラップ。この構成によれば、固定を解除した状態にあるストラップ本体を装具の当接面上から容易に退避させることができる。
【００６４】
・  前記ストラップ本体にはカバー部材が接合されており、当該カバー部材は、前記ストラップ本体とで前記ガイド部材を挟着してなることを特徴とする請求項３に記載の装具用ストラップ。この構成によれば、ガイド部材はストラップ本体とカバー部材との間に挟着されることから、装具を長期に亘って使用する場合でも同ガイド部材が所定箇所に安定に保持され、その作用効果を好適に発揮することができる。
【図面の簡単な説明】
【００６５】
【図１】第１の実施形態のリハビリ用装具を示す斜視図。
【図２】同実施形態のリハビリ用装具を示す正断面図。
【図３】第１ストラップを示す斜視図。
【図４】同第１ストラップを示す分解正断面図。
【図５】同リハビリ用装具を足底に固定する直前の状態を示す正断面図。
【図６】第２の実施形態のリハビリ用装具を示す正断面図。
【図７】同リハビリ用装具を足底に固定する直前の状態を示す正断面図。
【図８】両実施形態以外のストラップを示す斜視図。
【図９】両実施形態以外のストラップを示す斜視図。
【図１０】両実施形態以外のリハビリ用装具を示す部分斜視図。
【符号の説明】
【００６６】
１１…リハビリ用装具、１２…第１装着部、１４…第２装着部、１７，１８…当接面、２１…第１ストラップ、２２…ストラップ本体、２４…ガイド部材、３１…第２ストラップ、３２…保護部材。
【図１】
2006158715.tif 000003
【図２】
2006158715.tif 000004
【図３】
2006158715.tif 000005
【図４】
2006158715.tif 000006
【図５】
2006158715.tif 000007
【図６】
2006158715.tif 000008
【図７】
2006158715.tif 000009
【図８】
2006158715.tif 000010
【図９】
2006158715.tif 000011
【図１０】
2006158715.tif 000012